(57)【要約】【課題】原稿の画像情報を読み取る場合に比べて白基準部の基準情報を読み取る場合の読取素子の出力レベルを高めることができる画像読取装置を提供する。【解決手段】原稿Ｐの画像情報を補正するための基準情報となる白基準部材２８と、白基準部材２８及び原稿Ｐに光を照射可能な光源１４０と、光源１４０からの照射光の照射によって白基準部材２８で反射される第１反射光に基づく基準情報、及び光源１４０からの照射光の照射によって原稿Ｐで反射される第２反射光に基づく画像情報を読み取る読取素子１４２とを備えた画像読取装置１あって、基準情報を読み取る場合に、第１反射光に含まれる反射光のうち少なくとも反射Ｒ２を読取素子１４２に集光する可動部材からなる集光素子１４３をさらに備え、集光素子１４３は、画像情報を読み取る場合に、第２反射光を読取素子に集光しない位置に配置されている。【選択図】図１
2011004081.tif 000002
【特許請求の範囲】
【請求項１】
原稿から読み取った画像情報を補正するための白基準部と、
前記白基準部及び前記原稿に光を照射可能な光源部と、
前記光源部からの照射光の照射によって前記白基準部で反射される第１反射光に基づく基準情報、及び前記光源部からの照射光の照射によって前記原稿で反射される第２反射光に基づく前記画像情報を読み取る読取素子部と、
前記読取素子部の近傍に移動可能に設けられた集光素子と、
前記基準情報を読み取る場合に、前記第１反射光に含まれる反射光のうち少なくとも散乱光が前記読取素子部に集光する第１の位置に前記集光素子を移動させ、前記画像情報を読み取る場合に、前記第２反射光が前記読取素子部に集光しない第２の位置に前記集光素子を移動させる前記集光素子用の移動部とを備えた画像読取装置。
【請求項２】
前記集光素子用の移動部が前記集光素子を前記第１の位置に移動させるとき、前記光源及び前記集光素子を前記白基準部の読み取り用の位置に移動させ、前記集光素子用の移動部が前記集光素子を前記第２の位置に移動させるとき、前記光源、前記読取素子部及び前記集光素子を有する画像読取部を前記原稿の読み取り位置に移動させる前記画像読取部用の移動部を更に備えた請求項１に記載の画像読取装置。
【請求項３】
前記集光素子は、凹面鏡によって構成され、
前記集光素子用の移動部は、前記凹面鏡を前記第１の位置と前記第２の位置との間で並進させる請求項１又は２に記載の画像読取装置。
【請求項４】
前記集光素子は、凹面鏡によって構成され、
前記集光素子用の移動部は、前記凹面鏡を前記第１の位置と前記第２の位置との間で回転させる請求項１又は２に記載の画像読取装置。
【請求項５】
前記集光素子は、凹面鏡領域及び平面鏡領域を有し、前記凹面鏡領域が前記第１反射光のうち前記散乱光を含む白基準読取用の反射光を前記読取素子部に集光する前記第１の位置と前記平面鏡領域が前記第２反射光に含まれる原稿読取用の反射光を前記読取素子部に反射する前記第２の位置との間で並進可能に配置され、
前記集光素子用の移動部は、前記集光素子を第１の位置と前記第２の位置との間で並進させる請求項１又は２に記載の画像読取装置。
【請求項６】
前記集光素子は、前記第１反射光のうち散乱光を含む白基準読取用の反射光を屈折させて前記読取素子部に集光する前記第１の位置と前記第２反射光に含まれる原稿読取用の反射光を透過させて前記読取素子部に入射させる前記第２の位置との間で回転する光学レンズによって構成され、
前記集光素子用の移動部は、前記光学レンズを前記第１の位置と前記第２の位置との間で回転させる請求項１又は２に記載の画像読取装置。
【請求項７】
前記集光素子は、回折素子領域及び平面鏡領域を有し、前記回折素子領域が前記第１反射光のうち前記散乱光を含む白基準読取用の反射光を前記読取素子部に集光する前記第１の位置と前記平面鏡領域が前記第２反射光に含まれる原稿読取用の反射光を前記読取素子部に反射する前記第２の位置との間で並進可能に配置され、
前記集光素子用の移動部は、前記集光素子を前記第１の位置と前記第２の位置との間で並進させる請求項１又は２に記載の画像読取装置。
【発明の詳細な説明】
【技術分野】
【０００１】
本発明は、画像読取装置に関する。
【背景技術】
【０００２】
従来の画像読取装置として、原稿に光を照射するキセノンランプ等の光源部と、この光源部からの光の照射によって原稿で反射された反射光を読み取る読取部と、この読取部による読取画像を白基準部材の読み取りによって補正する補正部とを備えたものがある（特許文献１）。
【０００３】
このように構成された画像読取装置による原稿（画像データ）の読み取りは、光源部から光を原稿に照射し、その反射光を読み取ることにより行われる。この際、光源からの光を白基準部材に照射してその反射光の信号レベルを測定し、この測定された信号レベルが均一となるような補正データを作成した後、この補正データから読取画像の画像データを補正する。
【先行技術文献】
【特許文献】
【０００４】
【特許文献１】特開２００４−１２０２５４号公報
【発明の概要】
【発明が解決しようとする課題】
【０００５】
本発明の目的は、原稿の画像情報を読み取る場合に比べて白基準部の基準情報を読み取る場合の読取素子の出力レベルを高めることができる画像読取装置を提供することにある。
【課題を解決するための手段】
【０００６】
本発明の一態様は、上記目的を達成するために、以下の画像読取装置を提供する。
【０００７】
［１］原稿から読み取った画像情報の補正用の基準情報を得るための白基準部と、前記白基準部及び前記原稿に光を照射可能な光源部と、前記光源部からの照射光の照射によって前記白基準部で反射される第１反射光に基づく前記基準情報、及び前記光源部からの照射光の照射によって前記原稿で反射される第２反射光に基づく前記画像情報を読み取る読取素子部と、前記読取素子部の近傍に移動可能に設けられた集光素子と、前記基準情報を読み取る場合に、前記第１反射光に含まれる反射光のうち少なくとも散乱光が前記読取素子部に集光する第１の位置に前記集光素子を移動させ、前記画像情報を読み取る場合に、前記第２反射光が前記読取素部子に集光しない第２の位置に前記集光素子を移動させる前記集光素子用の移動部とを備えた画像読取装置。
【０００８】
［２］前記集光素子用の移動部が前記集光素子を前記第１の位置に移動させるとき、前記光源及び前記集光素子を前記白基準部の読み取り用の位置に移動させ、前記集光素子用の移動部が前記集光素子を前記第２の位置に移動させるとき、前記光源、前記読取素子部及び前記集光素子を有する画像読取部を前記原稿の読み取り位置に移動させる前記画像読取部用の移動部を更に備えた前記［１］に記載の画像読取装置。
【０００９】
［３］前記集光素子は、凹面鏡によって構成され、前記集光素子用の移動部は、前記凹面鏡を前記第１の位置と前記第２の位置との間で並進させる前記［１］又は［２］に記載の画像読取装置。
【００１０】
［４］前記集光素子は、凹面鏡によって構成され、前記集光素子用の移動部は、前記凹面鏡を前記第１の位置と前記第２の位置との間で回転させる前記［１］又は［２］に記載の画像読取装置。
【００１１】
［５］前記集光素子は、凹面鏡領域及び平面鏡領域を有し、前記凹面鏡領域が前記第１反射光のうち前記散乱光を含む白基準読取用の反射光を前記読取素子部に集光する前記第１の位置と前記平面鏡領域が前記第２反射光に含まれる原稿読取用の反射光を前記読取素子部に反射する前記第２の位置との間で並進可能に配置され、前記集光素子用の移動部は、前記集光素子を第１の位置と前記第２の位置との間で並進させる前記［１］又は［２］に記載の画像読取装置。
【００１２】
［６］前記集光素子は、前記第１反射光のうち散乱光を含む白基準読取用の反射光を屈折させて前記読取素子部に集光する前記第１の位置と前記第２反射光に含まれる原稿読取用の反射光を透過させて前記読取素子部に入射させる前記第２の位置との間で回転する光学レンズによって構成され、前記集光素子用の移動部は、前記光学レンズを前記第１の位置と前記第２の位置との間で回転させる前記［１］又は［２］に記載の画像読取装置。
【００１３】
［７］前記集光素子は、回折素子領域及び平面鏡領域を有し、前記回折素子領域が前記第１反射光のうち前記散乱光を含む白基準読取用の反射光を前記読取素子部に集光する前記第１の位置と前記平面鏡領域が前記第２反射光に含まれる原稿読取用の反射光を前記読取素子部に反射する前記第２の位置との間で並進可能に配置され、前記集光素子用の移動部は、前記集光素子を前記第１の位置と前記第２の位置との間で並進させる前記［１］又は［２］に記載の画像読取装置。
【発明の効果】
【００１４】
請求項１、２、３、５に記載の発明によれば、原稿の画像情報を読み取る場合に比べて白基準部の基準情報を読み取る場合の読取素子の出力レベルを高めることができる。
【００１５】
請求項４、６に記載の発明によれば、集光素子を並進移動させる場合と比べて移動部の小型化が可能になる。
【００１６】
請求項７に記載の発明によれば、集光素子を凹面鏡により構成した場合と比べて集光素子の薄型化が可能になる。
【図面の簡単な説明】
【００１７】
【図１】図１は、本発明の第１の実施の形態に係る画像読取装置の画像読取部が白基準読取位置に配置された状態を示すブロック図である。
【図２】図２は、本発明の第１の実施の形態に係る画像読取装置の画像読取部が原稿読取位置に配置された状態を示すブロック図である。
【図３】図３は、本発明の第１の実施の形態に係る画像読取装置の動作を説明するために示すフローチャートである。
【図４】図４は、本発明の第１の実施の形態に係る画像読取装置の動作を説明するために示すタイミングチャートである。
【図５】図５（ａ）〜（ｃ）は、本発明の第１の実施の形態に係る画像読取装置の動作を説明するために示し、図５（ａ）は集光素子が退避位置にあるときの画像読取部の正面図、図５（ｂ）は集光素子が退避位置から進行位置に移動したときの画像読取部の正面図、図５（ｃ）は集光素子が進行位置から退避位置に移動したときの画像読取部の正面図である。
【図６】図６は、本発明の第２の実施の形態に係る画像読取装置を説明するために示すブロック図である。
【図７】図７（ａ）及び（ｂ）は、本発明の第２の実施の形態に係る画像読取装置の動作を説明するために示し、図７（ａ）は集光素子が第１の位置にあるときの画像読取部の正面図、図７（ｂ）は集光素子が第１の位置から第２の位置に回転したときの画像読取部の正面図である。
【図８】図８は、本発明の第３の実施の形態に係る画像読取装置を説明するために示すブロック図である。
【図９】図９（ａ）及び（ｂ）は、本発明の第３の実施の形態に係る画像読取装置の動作を説明するために示し、図９（ａ）は集光素子が第１の位置にあるときの画像読取部の正面図、図９（ｂ）は集光素子が第２の位置に回転したときの画像読取部の正面図である。
【図１０】図１０は、本発明の第４の実施の形態に係る画像読取装置を説明するために示すブロック図である。
【図１１】図１１（ａ）及び（ｂ）は、本発明の第４の実施の形態に係る画像読取装置を説明するために示し、図１１（ａ）は集光素子が第１の位置にあるときの画像読取部の正面図を、図１１（ｂ）は集光素子が第２の位置にあるときの画像読取部の正面図である。
【図１２】図１２は、本発明の第５の実施の形態に係る画像読取装置を説明するために示すブロック図である。
【図１３】図１３（ａ）及び（ｂ）は、本発明の第５の実施の形態に係る画像読取装置の動作を説明するために示し、図１３（ａ）は集光素子が第１の位置にあるときの画像読取部の正面図、図１３（ｂ）は集光素子が第２の位置にあるときの画像読取部の正面図である。
【発明を実施するための形態】
【００１８】
［第１の実施の形態］
先ず、本発明の第１の実施の形態に係る画像読取装置につき、図１及び図２を用いて説明する。図１及び図２、本発明の第１の実施の形態に係る画像読取装置の概略の構成を示すブロック図であり、図１は、画像読取部が白基準読取位置に配置された状態を示し、図２は、画像読取部が原稿読取位置に配置された状態を示す。
【００１９】
この画像読取装置１０は、スキャナ等からなり、図１及び図２に示すように本体部１１及び蓋部１２から大略構成されている。
【００２０】
（本体部１１の構成）
本体部１１は、原稿Ｐが配置される原稿配置面１３を有するとともに、画像読取部１４，ドライバ制御部１５，光量補正データ生成部１６，光量補正データ格納部１７，信号レベル補正部１８及び信号処理部１９等を内蔵し、全体が箱体によって形成されている。
【００２１】
画像読取部１４は、一対の光源（光源部）１４０，結像レンズ１４１，読取素子（読取素子部）１４２及び集光素子１４３を有し、原稿配置面１３の下方に配置され、かつ第１キャリッジ（図示せず）に搭載されている。第１キャリッジは、画像読取部１４を画像読取部１４用の移動部としての第１駆動ドライバ２０によって白基準読取位置と原稿読取位置との間で副走査方向ａに移動するように構成されている。第１駆動ドライバ２０は、モータ等からなり、ドライバ制御部１５に接続されている。
【００２２】
１対の光源１４０は、例えば白色発光ダイオード（Light Emitting Diode：ＬＥＤ）素子１４０ａ及び導光部材１４０ｂを有し、結像レンズ１４１の両側に主走査方向（副走査方向ａに直交する方向）に沿って配置されている。
【００２３】
そして、一対の光源１４０は、それぞれがＬＥＤ素子１４０ａの光を導光部材１４０ｂの一方側端面に入射させ、導光部材１４０ｂの外周部から原稿配置面１３上の原稿Ｐ及び白基準部材２８に光を照射するように構成されている。
【００２４】
導光部材１４０ｂは、全体が例えばＰＭＭＡ（ポリメタクリル酸メチル）樹脂によって形成され、その他方側端面を含む一部がランプケース（図示せず）によって覆われている。
【００２５】
結像レンズ１４１は、例えば主走査方向に並列する複数のセルフォックレンズ（登録商標）によって形成されたロッドレンズアレイからなり、読取素子１４２の上方に配置されている。
【００２６】
そして、結像レンズ１４１は、図１に示すように、光源１４０からの照射光Ｌの照射によって蓋部１２内の後述する白基準部材（白基準部）２８で反射された第１反射光、すなわち白基準部材２８の特定領域で反射された反射光Ｒ１、及び白基準部材２８の特定領域以外の領域で反射された散乱光としての反射光Ｒ２を含む反射光のうち反射光Ｒ１を読取素子１４２に結像するように構成されている。
【００２７】
また、結像レンズ１４１は、図２に示すように、光源１４０からの照射光Ｌの照射によって原稿配置面１３上の原稿Ｐで反射された第２反射光、すなわち原稿Ｐの特定領域で反射された反射光Ｒ３、及び原稿Ｐの特定領域以外で反射された散乱光としての反射光Ｒ４を含む反射光のうち反射光Ｒ３を読取素子１４２に結像するように構成されている。
【００２８】
読取素子１４２は、白基準部材２８の基準情報（基準データ）を白基準読取用の反射光Ｒ１，Ｒ２として、また原稿Ｐの画像情報（画像データ）を原稿読取用の反射光Ｒ３としてそれぞれ読み取る、例えば、カラーのＲ、Ｇ、Ｂに対応して３列のＣＣＤ（Charge Coupled Device）イメージセンサを用いることができ、光量補正データ生成部１６及び信号レベル補正部１８に接続されている。なお、ＣＣＤイメージセンサは、列方向に複数の画素を有するチップを列方向に複数個配列したものを用いてもよい。また、読取素子１４２として、ＣＭＯＳイメージセンサ等の他のセンサを用いてもよい。読取素子１４２の１つの画素サイズは、結像レンズ１４１が１対１の等倍の読み取りに設定されている場合には、原稿Ｐ又は白基準部材２８における４０μｍ×４０μｍの領域の情報を読み取ることが可能な４０μｍ×４０μｍのサイズに設定されている。
【００２９】
そして、読取素子１４２は、白基準部材２８の基準データを読み取る場合に反射光Ｒ１，Ｒ２を入射させて電気信号に光電変換し、この電気信号を光量補正データ生成部１６に出力するように構成されている。
【００３０】
また、読取素子１４２は、原稿Ｐの画像データを読み取る場合に反射光Ｒ３を入射させて電気信号に光電変換し、この電気信号を信号レベル補正部１８に出力するように構成されている。
【００３１】
集光素子１４３は、結像レンズ１４１における光出射側光路の片側側方に設けられ、白基準部材２８の基準データを読み取る際に、白基準部材２８で反射された第１反射光（反射光Ｒ１、Ｒ２を含む反射光）のうち反射光Ｒ２を読取素子１４２に集光する第１の位置と、原稿Ｐから画像データを読み取る際に、原稿Ｐで反射された第２の反射光（反射光Ｒ３，Ｒ４を含む反射光）を読取素子１４２に集光しない第２の位置との間を進退（並進）可能に第２キャリッジ（図示せず）に搭載されている。この集光素子１４３は、凹面鏡領域１４３ａが主走査方向に連続して延びる単一構成の凹面鏡によって形成されている。第２キャリッジは、集光素子１４３用の移動部としての第２駆動ドライバ２１によって副走査方向ａと同じ方向に移動するように構成されている。第２駆動ドライバ２１は、モータ等からなり、ドライバ制御部１５に接続されている。
【００３２】
そして、集光素子１４３は、白基準部材２８の基準データを読み取る場合に、白基準部材２８で反射された第１反射光（反射光Ｒ１，Ｒ２を含む反射光）のうち反射光Ｒ２を読取素子１４２に集光するように構成されている。
【００３３】
このため、白基準部材２８の基準データを読み取る場合、集光素子１４３で反射光Ｒ２を読取素子１４２に集光して例えば１００μｍ×１００μｍの領域の反射光（情報）を読取素子１４２で読み取ることが可能となり、単純計算で約２．５倍（副走査方向分のみ）の光量を得ることができ、Ｓ／Ｎ比を改善することができる。
【００３４】
また、集光素子１４３は、原稿配置面１３上の原稿Ｐの画像データを読み取る場合に、原稿Ｐで反射された第２反射光（反射光Ｒ３，Ｒ４を含む反射光）を読取素子１４２に集光しないように構成されている。
【００３５】
これにより、読取素子１４２においては、白基準部材２８の基準データを読み取る場合に反射光Ｒ１，Ｒ２が、また原稿Ｐの画像データを読み取る場合に反射光Ｒ３がそれぞれ入射するため、反射光Ｒ１，Ｒ２の入射光量ｃ１が反射光Ｒ３の入射光量ｃ２よりも多く（ｃ１＞ｃ２）なり、白基準部材２８の基準データを読み取る場合の出力レベル（信号レベル）が原稿Ｐの画像データを読み取る場合の出力レベル（信号レベル）に比べて高くなる。
【００３６】
なお、集光素子１４３としては、単一構成の凹面鏡に代え、例えばＭＥＭＳ（Micro Electro Mechanical System）技術を用いて複数の微細な素子からなる凹面鏡であってもよい。この凹面鏡は、固定子及び移動子と共にＭＥＭＳミラー装置を構成し、移動子と共に移動する。固定子及び移動子の構成等については、特開２００７−３２２９９７号公報に「カラー表示素子、カラー表示媒体、カラー表示装置、及びカラー表示方法」として本出願人によって先に開示されているため、その説明は省略する。
【００３７】
ドライバ制御部１５は、図１に示すように、第１駆動ドライバ２０及び第２駆動ドライバ２１を駆動制御するコントローラからなる。
【００３８】
光量補正データ生成部１６は、読取素子１４２に接続され、光源１４０から白基準部材２８に光が照射された際の第１反射光に基づいて主走査方向の読取特性のばらつきを補正するための光量補正データを生成するように構成されている。
【００３９】
光量補正データ格納部１７は、ＲＡＭ、ＲＯＭ等の半導体メモリから構成され、光量補正データ生成部１６に接続され、光量補正データ生成部１６で生成された光量補正データを格納する。
【００４０】
信号レベル補正部１８は、読取素子１４２及び光量補正データ格納部１７に接続され、光量補正データ格納部１７に格納された光量補正データに基づいて読取素子１４２で読み取られた画像データの信号レベルを補正するように構成されている。
【００４１】
信号処理部１９は、信号レベル補正部１８に接続され、信号レベル補正部１８で信号レベルの補正が行われた後の画像データを処理して画像信号として出力する。
【００４２】
（蓋部１２の構成）
一方、蓋部１２は、給紙トレイ２２，原稿分離ロール２３，原稿搬送ロール２４，読取ロール２５，排出ロール２６，排出トレイ２７，白基準部材２８を有し、本体部１１の上方に配置されている。
【００４３】
原稿分離ロール２３，原稿搬送ロール２４，読取ロール２５及び排出ロール２６は、原稿Ｐを給紙トレイ２２から原稿読取位置（読取ロール２５の位置）まで、及び原稿Ｐを原稿読取位置から排出トレイ２７まで搬送する原稿搬送手段を構成する。
【００４４】
白基準部材（白基準部）２８は、画像読取部１４の読取素子１４２による読取データのうち、原稿Ｐの画像データの信号レベルを補正するための基準データとなり、原稿配置面１３の上方に配置されている。白基準部材１８の厚さは、原稿配置面１３の厚さ（０．５〜１．０ｍｍ程度）よりも小さい寸法に設定されている。白基準部材２８としては、例えばシルク印刷や塗装等によって形成された白色膜が用いられる。
【００４５】
（画像読取装置１０の動作）
次に、本発明の第１の実施の形態に係る画像読取装置の動作につき、図３，図４及び図５（ａ）〜（ｃ）を用いて説明する。図３は基準データの読み取りから画像データの読み取りを実施するまでのフローを示す。図４はデータ読み取り等の動作タイミングを示す。図５（ａ）〜（ｃ）は集光素子の動作状態を示す。
【００４６】
白基準の読み取りが必要である場合（Ｓ１：Ｙｅｓ）、例えば、電源オン時や原稿読取開始時等の予め定められたタイミング、あるいはユーザによる指示があったとき、図示しない主制御部は、白基準読取信号ＳＴＰ（図４に示す）を発生する（Ｓ２）。
【００４７】
ドライバ制御部１５は、白基準読取信号ＳＴＰの立上りに同期して画像読取部１４を図２に示す原稿読取位置から図１に示す白基準読取位置に移動させる移動信号ＳＴａ１（図４に示す）を第１駆動ドライバ２０に出力するとともに、集光素子１４３を図２に示す待機位置としての退避位置から図１に示す進行位置に移動させる移動信号ＳＴｂ１（図４に示す）を第２駆動ドライバ２１に出力する。
【００４８】
第１駆動ドライバ２０は、移動信号ＳＴａ１に基づき、画像読取部１４を原稿読取位置から白基準読取位置に移動させる。第２駆動ドライバ２１は、移動信号ＳＴｂ１に基づき、集光素子１４３を図５（ａ）に示す退避位置から図５（ｂ）に示す進行位置に移動させる（Ｓ３）。
【００４９】
集光素子１４３の進行位置への移動が完了すると（Ｓ４：Ｙｅｓ）、主制御部は、白基準読み取りを実施するための信号ＳＴｏｕｔ（図４に示す）を発生し、白基準の読み取りを実施する（Ｓ５）。
【００５０】
信号ＳＴｏｕｔが出力されている白基準読取期間に、白基準部材２８の基準データがライン読み取り開始信号ＳＰ（図４に示す）のサイクルＴφでＲ、Ｇ、Ｂの色毎に読み取られる。この場合、白基準部材２８で反射された白基準読取用の反射光Ｒ１，Ｒ２に基づいて読取素子１４２に白基準部材２８の基準データが読み取られる。この際、反射光Ｒ２が集光素子１４３によって読取素子１４２に集光される。白基準の読み取り実施後は、光量補正データ生成部１６でＲ、Ｇ、Ｂの色毎の光量補正データが生成され、この光量補正データが光量補正データ格納部１７に格納される。
【００５１】
白基準読取信号ＳＴＰ（信号ＳＴｏｕｔ）の出力が完了すると、ドライバ制御部１５は、信号ＳＴＰ（信号ＳＴｏｕｔ）の立下りに同期して画像読取部１４を白基準位置から原稿読取位置に移動させる移動信号ＳＴａ２（図４に示す）を第１駆動ドライバ２０に出力し、集光素子１４３を進行位置から退避位置に移動させる移動信号ＳＴｂ２（図４に示す）を第２駆動ドライバ２１に出力する。第１駆動ドライバ２０は、移動信号ＳＴａ２に基づき、画像読取部１４を白基準読取位置から原稿読取位置に移動させる。第２駆動ドライバ２１は、移動信号ＳＴｂ２に基づき、集光素子１４３を図５（ｂ）に示す進行位置から図５（ｃ）に示す退避位置に移動させる（Ｓ６）。
【００５２】
集光素子１４３の退避位置への移動が完了すると（Ｓ７：Ｙｅｓ）、主制御部は、ライン読み取り開始信号ＳＰ（図４に示す）のサイクルＴ１でＲ、Ｇ、Ｂの色毎に原稿読取位置に搬送された原稿Ｐの画像データの読み取りを実施する（Ｓ８）。原稿Ｐの画像データの読み取りは、原稿Ｐで反射された原稿読取用の反射光Ｒ３に基づいて行われる。
【００５３】
この後、光量補正データ格納部１７に格納されたＲ、Ｇ、Ｂの色毎の光量補正データに基づいて読取素子１４２で読み取られたＲ、Ｇ、Ｂの各色の画像データの信号レベルが信号レベル補正部１８で補正され、この補正された画像データが信号処理部１９から原稿ＰのＲ、Ｇ、Ｂの色に対応した読取信号Ｔｒ，Ｔｇ，Ｔｂ（図４に示す）として出力される。
【００５４】
なお、白基準の読み取りが必要ない場合（Ｓ１：Ｎｏ）、白基準の読み取りが実施されずに、原稿Ｐの画像データの読み取りが実施される（Ｓ８）。
【００５５】
［第２の実施の形態］
次に、本発明の第２の実施の形態に係る画像読取装置につき、図６及び図７（ａ），（ｂ）を用いて説明する。図６及び図７（ａ），（ｂ）において、図１及び図５と同一又は同等の部材については同一の符号を付し、詳細な説明は省略する。
【００５６】
図６は画像読取装置を示す。図７（ａ）及び（ｂ）は集光素子の動作状態を示す。図６に示すように、本発明の第２の実施の形態に係る画像読取装置２００は、前述した第１の位置と第２の位置との間で読取素子１４２が回転するように構成した点に特徴がある。
【００５７】
この集光素子１４３は、結像レンズ１４１における光出射側光路の側方に回転軸２９を中心として回転可能に配置されている。
【００５８】
そして、集光素子１４３は、白基準部材２８の基準データを読み取る第１の位では、白基準部材２８で反射された第１反射光（反射光Ｒ１，Ｒ２を含む反射光）のうち反射光Ｒ２を読取素子１４２に集光するように構成されている。
【００５９】
また、集光素子１４３は、原稿配置面１３上の原稿Ｐの画像データを読み取る第２の位置では、原稿Ｐで反射された第２反射光（反射光Ｒ３，Ｒ４を含む反射光）を読取素子１４２に集光しないように構成されている。
【００６０】
なお、集光素子１４３としては、例えば半導体基板（図示せず）に形成されたトランジスタ（図示せず）が動作して発生する静電力に基づいて回転する凹面鏡を用いてもよい。
【００６１】
このように構成された画像読取装置２００において、白基準部材２８の基準データを読み取る場合には、第２駆動ドライブ２１は、図７（ａ）に示すように集光素子１４３を回転軸２９の回りに回転させて第１の位置に移動させることにより、白基準部材２８で反射された第１反射光（反射光Ｒ１，Ｒ２を含む反射光）のうち反射光Ｒ２が読取素子１４２に集光する。
【００６２】
また、集光素子１４３は、原稿配置面１３上の原稿Ｐの画像データを読み取る場合には、第２駆動ドライブ２１は、図７（ｂ）に示すように集光素子１４３を回転軸２９の回りに回転させて第２の位置に移動させることにより、原稿Ｐで反射された第２反射光（反射光Ｒ３，Ｒ４を含む反射光）が読取素子１４２に集光しないようになる。
【００６３】
これにより、第１の実施の形態と同様に、白基準部材２８の基準データを読み取る場合の反射光Ｒ１，Ｒ２による入射光量ｃ１が反射光Ｒ３による入射光量ｃ２よりも多く（ｃ１＞ｃ２）なる。
【００６４】
［第３の実施の形態］
次に、本発明の第３の実施の形態に係る画像読取装置につき、図８及び図９（ａ），（ｂ）を用いて説明する。図８及び図９（ａ），（ｂ）において、図１及び図５と同一又は同等の部材については同一の符号を付し、詳細な説明は省略する。
【００６５】
図８は、画像読取装置を示す。図９（ａ）及び（ｂ）は集光素子の動作状態を示す。図８に示すように、本発明の第３の実施の形態に係る画像読取装置３００は、集光素子１４３が凹面鏡領域１４３ｂ及び平面鏡領域１４３ｃを有する点に特徴がある。
【００６６】
この集光素子１４３は、結像レンズ１４１の光出射側光路上に進退（並進）可能に配置されている。そして、集光素子１４３は、白基準部材２８の基準データを読み取る第１の位置では、白基準部材２８で反射された第１反射光（反射光Ｒ１，Ｒ２を含む反射光）のうち反射光Ｒ１，Ｒ２が凹面鏡領域１４３ｂに入射させて読取素子１４２に集光する。
【００６７】
また、集光素子１４３は、原稿配置面１３上の原稿Ｐの画像データを読み取る第２の位置では、原稿Ｐで反射された第２反射光（反射光Ｒ３，Ｒ４を含む反射光）のうち反射光Ｒ３が平面鏡領域１４３ｃで反射して読取素子１４２に入射する。
【００６８】
読取素子１４２は、結像レンズ１４１における光出射側光路の側方に配置されている。
【００６９】
このように構成された画像読取装置３００において、白基準部材２８の基準データを読み取る場合には、第２駆動ドライブ２１は、図９（ａ）に示すように集光素子１４３を第１の位置に移動させることにより、白基準部材２８で反射された第１反射光のうち反射光Ｒ１，Ｒ２が凹面鏡１４３ｂに入射して読取素子１４２に集光する。
【００７０】
また、集光素子１４３は、原稿配置面１３上の原稿Ｐの画像データを読み取る場合には、第２駆動ドライブ２１は、図９（ｂ）に示すように集光素子１４３を第２の位置に移動させることにより、原稿Ｐで反射された第２反射光（反射光Ｒ３，Ｒ４を含む反射光）が読取素子１４２に集光せず、原稿Ｐで反射された第２反射光のうち反射光Ｒ３が平面鏡１４３ｃで反射して読取素子１４２に入射する。
【００７１】
これにより、第１の実施の形態と同様に、白基準部材２８の基準データを読み取る場合の反射光Ｒ１，Ｒ２による入射光量ｃ１が反射光Ｒ３による入射光量ｃ２よりも多く（ｃ１＞ｃ２）なる。
【００７２】
［第４の実施の形態］
次に、本発明の第４の実施の形態に係る画像読取装置につき、図１０及び図１１（ａ），（ｂ）を用いて説明する。図１０及び図１１（ａ），（ｂ）において、図１及び図５と同一又は同等の部材については同一の符号を付し、詳細な説明は省略する。
【００７３】
図１０は画像読取装置を示す。図１１（ａ）及び（ｂ）は集光素子の動作状態を示す。図１１に示すように、本発明の第４の実施の形態に係る画像読取装置４００は、集光素子１４３が光学レンズから構成されている点に特徴がある。
【００７４】
この集光素子１４３は、凸状の入射面１４３ｄと、凸状の出射面１４３ｅと、扁平な入射面１４３ｆと、扁平な出射面１４３ｇと、回転軸３０とを有し、結像レンズ１４１における光出射側の光路上に回転可能に配置され、石英ガラス等の光学レンズ（透過・屈折素子）からなる略六面体の回転部材によって形成されている。
【００７５】
そして、集光素子１４３は、白基準部材２８の基準データを読み取る第１の位置では、屈折素子として機能し、白基準部材２８で反射された第１反射光（反射光Ｒ１，Ｒ２を含む反射光）のうち反射光Ｒ１，Ｒ２を屈折させて読取素子１４２に集光するように構成されている。
【００７６】
また、集光素子１４３は、原稿配置面１３上の原稿Ｐの画像データを読み取る第２の位置では、透過素子として機能し、原稿Ｐで反射された第２反射光（反射光Ｒ３，Ｒ４を含む反射光）のうち反射光Ｒ３を透過させて読取素子１４２に入射させるように構成されている。
【００７７】
このように構成された画像読取装置４００において、白基準部材２８の基準データを読み取る場合には、第２駆動ドライバ２１は、図１１（ａ）に示すように集光素子１４３を回転軸３０の回りに回転させて第１の位置に移動させることにより、白基準部材２８で反射された第１反射光（反射光Ｒ１，Ｒ２を含む反射光）のうち反射光Ｒ１，Ｒ２が読取素子１４２に集光する。
【００７８】
また、原稿配置面１３上の原稿Ｐの画像データを読み取る場合には、第２駆動ドライバ２１は、図１１（ｂ）に示すように集光素子１４３を回転軸３０の回りに回転させて第２の位置に移動させることにより、原稿Ｐで反射された第２反射光（反射光Ｒ３，Ｒ４を含む反射光）が読取素子１４２に集光せず、原稿Ｐで反射された第２反射光のうち反射光Ｒ３が集光素子１４３を透過して読取素子１４２に入射する。
【００７９】
これにより、第１の実施の形態と同様に、白基準部材２８の基準データを読み取る場合の反射光Ｒ１，Ｒ２による入射光量ｃ１が反射光Ｒ３による入射光量ｃ２よりも多く（ｃ１＞ｃ２）なる。
【００８０】
［第５の実施の形態］
次に、本発明の第５の実施の形態に係る画像読取装置につき、図１２及び図１３（ａ），（ｂ）を用いて説明する。図１２及び図１３（ａ），（ｂ）において、図１及び図５と同一又は同等の部材については同一の符号を付し、詳細な説明は省略する。
【００８１】
図１２は画像読取装置を示す。図１３（ａ）及び（ｂ）は集光素子の動作状態を示す。図１２に示すように、本発明の第５の実施の形態に係る画像読取装置５００は、集光素子１４３が回折素子領域１４６ｄ及び平面鏡領域１４７ｄからなる移動部材によって形成されている点に特徴がある。
【００８２】
この集光素子１４３は、結像レンズ１４１における光出射側光路上に移動可能に配置されている。そして、集光素子１４３は、白基準部材２８の基準データを読み取る第１の位置では、白基準部材２８で反射された第１反射光（反射光Ｒ１，Ｒ２を含む反射光）のうち反射光Ｒ１，Ｒ２を回折素子領域１４６ｄに入射させて読取素子１４２に集光するように構成されている。
【００８３】
また、集光素子１４３は、原稿配置面１３上の原稿Ｐの画像データを読み取る第２の位置では、原稿Ｐで反射された第２反射光（反射光Ｒ３，Ｒ４を含む反射光）を読取素子１４２に集光しないように構成されている。
【００８４】
回折素子領域１４３ｈは、例えば平面鏡（図示せず）の表面一部に凹凸部（図示せず）を設けることにより形成される。
【００８５】
読取素子１４２は、結像レンズ１４１における光出射側光路の側方に配置されている。
【００８６】
このように構成された画像読取装置５００において、基準部材３０の基準データを読み取る場合には、第２駆動ドライバ２１は、図１３（ａ）に示すように集光素子１４３を第１の位置に移動させることにより、白基準部材２８で反射された第１反射光（反射光Ｒ１，Ｒ２を含む反射光）のうち反射光Ｒ１，Ｒ２が回折素子領域１４３ｈに入射して読取素子１４２に集光する。
【００８７】
また、原稿配置面１３上の原稿Ｐの画像データを読み取る場合には、第２駆動ドライバ２１は、図１３（ｂ）に示すように集光素子１４３を第２の位置に移動させることにより、原稿Ｐで反射された第２反射光（反射光Ｒ３，Ｒ４を含む反射光）のうち反射光Ｒ３が読取素子１４２に集光せず、原稿Ｐで反射された第２反射光のうち反射光Ｒ３が平面鏡領域１４３ｃで反射して読取素子１４２に入射する。
【００８８】
これにより、第１の実施の形態と同様に、白基準部材２８の基準データを読み取る場合の反射光Ｒ１，Ｒ２による入射光量ｃ１が反射光Ｒ３による入射光量ｃ２よりも多く（ｃ１＞ｃ２）なる。
【００８９】
以上、本発明の画像読取装置を上記の実施の形態に基づいて説明したが、本発明は上記の実施の形態に限定されるものではなく、その要旨を逸脱しない範囲で種々の態様において実施することが可能であり、例えば次に示すような変形も可能である。
【００９０】
（１）上記の各実施の形態では、集光素子１４３が結像レンズ１４１の光出射側に配置されている場合について説明したが、本発明はこれに限定されず、結像レンズの光入射側に集光素子を配置してもよい。また、結像レンズの光入射側及び光出射側に集光素子を配置してもよい。この場合、結像レンズの光入射側又は光出射側に集光素子を配置する場合と比べてより高い集光効果を期待することができる。
【００９１】
（２）上記の各実施の形態（第４の実施の形態を除く）では、集光素子１４３が結像レンズ１４１における光路の一方の側方で可動（並進又は回転）する場合について説明したが、本発明はこれに限定されず、集光素子が結像レンズにおける光路の両方の側方で可動するようにしてもよい。
【００９２】
（３）上記の各実施の形態では、スキャナに適用する場合について説明したが、本発明はこれに限定されず、複写機、プリンタ又はファクシミリに適用しても勿論よく、複写機、プリンタ，スキャナ及びファクシミリ等のうち少なくも２つを組み合わせてなる複合機に適用してもよい。
【符号の説明】
【００９３】
１０…画像読取装置、１１…本体部、１２…蓋部、１３…原稿配置面、１４…画像読取部、１４０…光源、１４０ａ…ＬＥＤ素子、１４０ｂ…導光部材、１４１…結像レンズ、１４２…読取素子、１４３…集光素子、１５…ドライバ制御部、１６…光量補正データ生成部、１７…光量補正データ格納部、１８…信号レベル補正部、１９…信号処理部、２０…第１駆動ドライバ、２１…第２駆動ドライバ、２２…給紙トレイ、２３…原稿分離ロール、２４…原稿搬送ロール、２５…読取ロール、２６…排出ロール、２７…排出トレイ、２８…白基準部材、２９，３０…回転軸、１４３ａ，１４３ｂ…凹面鏡領域、１４３ｃ…平面鏡領域、１４３ｄ…入射面、１４３ｅ…出射面、１４３ｆ…入射面、１４３ｇ…出射面、１４３ｈ…回折素子領域、２００…画像読取装置、３００…画像読取装置、４００…画像読取装置、５００…画像読取装置、ａ…副走査方向、Ｐ…原稿、Ｌ…照射光、Ｒ１〜Ｒ４…反射光
【図１】
2011004081.tif 000003
【図２】
2011004081.tif 000004
【図３】
2011004081.tif 000005
【図４】
2011004081.tif 000006
【図５】
2011004081.tif 000007
【図６】
2011004081.tif 000008
【図７】
2011004081.tif 000009
【図８】
2011004081.tif 000010
【図９】
2011004081.tif 000011
【図１０】
2011004081.tif 000012
【図１１】
2011004081.tif 000013
【図１２】
2011004081.tif 000014
【図１３】
2011004081.tif 000015